【手続補正書】
【提出日】平成20年8月26日(2008.8.26)
【手続補正１】
【補正対象書類名】特許請求の範囲
【補正対象項目名】全文
【補正方法】変更
【補正の内容】
【特許請求の範囲】
【請求項１】
情報処理装置と通信する画像形成装置であって、
挿し込みデータと、レイアウト情報を含むテンプレートデータとを用いて画像形成するために、テンプレートデータに基づくレイアウトを動的に決定する動的レイアウト機能を情報処理装置において実行させる指示を入力するための画面を操作部に表示する表示手段と、
前記表示手段が表示する画面を介して入力される指示に応じて、前記情報処理装置の動的レイアウト機能を用いて処理する際に用いられる特定情報を、前記情報処理装置に対して送信する送信手段と、
前記送信手段が送信した特定情報を用いて、前記情報処理装置において動的レイアウトされたデータを受信する受信手段と、
前記受信手段が受信した前記データを出力する出力手段と、
を備えることを特徴とする画像形成装置。
【請求項２】
ユーザインタフェースを構成するための情報が設定されている構成データを取得する取得手段を更に備え、
前記取得手段が取得した構成データを解析して、前記表示手段は動的レイアウトを実行する指示を入力するための画面を前記操作部に表示することを特徴とする請求項１に記載の画像形成装置。
【請求項３】
挿し込みデータとフォームデータとを特定するための特定情報を入力する入力手段を更に備え
前記送信手段は、前記入力手段が入力した前記特定情報を送信し、
前記受信手段は、前記送信手段が送信した特定情報を用いて特定された挿し込みデータとフォームデータに基づき前記情報処理装置が動的レイアウトしたデータを受信し、
前記出力手段は、前記受信手段が受信したデータを出力することを特徴とする請求項１または２に記載の画像形成装置。
【請求項４】
前記構成データには、前記ユーザインタフェースから指示された処理を実行するための機能選択情報が含まれており、
前記機能選択情報に基づいて、前記ユーザインタフェースの設定に対応する情報処理装置及び画像形成装置の機能を選択する選択手段を更に備えることを特徴とする請求項２に記載の画像形成装置。
【請求項５】
前記画像形成装置の印刷機能を利用する場合、
前記選択手段は、前記送信手段が送信した特定情報により、データの検索と、当該検索の結果に基づくファイルの生成を前記情報処理装置に実行させることを特徴とする請求項４に記載の画像形成装置。
【請求項６】
前記印刷機能を実行する画像形成手段を更に備え、
前記受信手段は、前記情報処理装置により動的レイアウト生成されたデータを、当該情報処理装置から取得し、
前記画像形成手段は、前記受信手段が取得したデータを前記選択した画像形成装置の印刷機能に従って処理することを特徴とする請求項５に記載の画像形成装置。
【請求項７】
前記動的レイアウトは、差し込まれる差込みデータのデータ量に依存して、差込データのレイアウトが動的に決定されるものであることを特徴とする請求項１乃至６のいずれか１項に記載の画像形成装置。
【請求項８】
情報処理装置と通信する画像形成装置の制御方法であって、
挿し込みデータと、レイアウト情報を含むテンプレートデータとを用いて画像形成するために、テンプレートデータに基づくレイアウトを動的に決定する動的レイアウト機能を情報処理装置において実行させる指示を入力するための画面を操作部に表示する表示工程と、
前記表示工程が表示する画面を介して入力される指示に応じて、前記情報処理装置の動的レイアウト機能を用いて処理する際に用いられる特定情報を、前記情報処理装置に対して送信する送信工程と、
前記送信工程が送信した特定情報を用いて、前記情報処理装置において動的レイアウトされたデータを受信する受信工程と、
前記受信工程が受信した前記データを出力する出力工程と、
を備えることを特徴とする画像形成装置の制御方法。
【請求項９】
ユーザインタフェースを構成するための情報が設定されている構成データを取得する取得工程を更に備え、
前記取得工程が取得した構成データを解析して、前記表示工程は動的レイアウトを実行する指示を入力するための画面を前記操作部に表示することを特徴とする請求項８に記載の画像形成装置の制御方法。
【請求項１０】
挿し込みデータとフォームデータとを特定するための特定情報を入力する入力工程を更に備え
前記送信工程は、前記入力工程が入力した前記特定情報を送信し、
前記受信工程は、前記送信工程が送信した特定情報を用いて特定された挿し込みデータとフォームデータに基づき前記情報処理装置が動的レイアウトしたデータを受信し、
前記出力工程は、前記受信工程が受信したデータを出力することを特徴とする請求項８または９に記載の画像形成装置の制御方法。
【請求項１１】
前記構成データには、前記ユーザインタフェースから指示された処理を実行するための機能選択情報が含まれており、
前記機能選択情報に基づいて、前記ユーザインタフェースの設定に対応する情報処理装置及び画像形成装置の機能を選択する選択工程を更に備えることを特徴とする請求項９に記載の画像形成装置の制御方法。
【請求項１２】
前記画像形成装置の印刷機能を利用する場合、
前記選択工程は、前記送信工程が送信した特定情報により、データの検索と、当該検索の結果に基づくファイルの生成を前記情報処理装置に実行させることを特徴とする請求項１１に記載の画像形成装置の制御方法。
【請求項１３】
前記印刷機能を実行する画像形成工程を更に備え、
前記受信工程は、前記情報処理装置により動的レイアウト生成されたデータを、当該情報処理装置から取得し、
前記画像形成工程は、前記受信工程が取得したデータを前記選択した画像形成装置の印刷機能に従って処理することを特徴とする請求項１２に記載の画像形成装置の制御方法。
【請求項１４】
前記動的レイアウトは、差し込まれる差込みデータのデータ量に依存して、差込データのレイアウトが動的に決定されるものであることを特徴とする請求項８乃至１３のいずれか１項に記載の画像形成装置の制御方法。
【請求項１５】
請求項８乃至１４のいずれか１項に記載の画像形成装置の制御方法をコンピュータに実行させることを特徴とするプログラム。
【請求項１６】
請求項１５に記載のプログラムを記憶したことを特徴とするコンピュータ可読の記憶媒体。
【請求項１７】
情報処理装置と、当該情報処理装置と通信し、当該情報処理装置の機能を利用した処理が可能な画像形成装置と、を有する画像形成システムであって、
前記画像形成装置は、
挿し込みデータと、レイアウト情報を含むテンプレートデータとを用いて画像形成するために、テンプレートデータに基づくレイアウトを動的に決定する動的レイアウト機能を情報処理装置において実行させる指示を入力するための画面を操作部に表示する表示手段と、
前記表示手段が表示する画面を介して入力される指示に応じて、前記情報処理装置の動的レイアウト機能を用いて処理する際に用いられる特定情報を、前記情報処理装置に対して送信する送信手段とを備え、
前記情報処理装置は、
前記送信手段が送信した前記特定情報を受信する特定情報受信手段と、
前記特定情報を用いて、動的レイアウトを実行する動的レイアウト実行手段と、
前記動的レイアウト実行手段により動的レイアウトされたデータを前記画像形成装置に送信する動的レイアウトデータ送信手段とを備え、
前記画像形成装置は、
前記動的レイアウトデータ送信手段から送信された前記データを受信する受信手段と、
前記受信手段が受信した前記データを出力する出力手段と、
を更に備えることを特徴とする画像形成システム。